(57)【要約】【課題】封印シールによって封印された基板保護ケースを不正に開放するために、修復可能となる程度に事前に封印シールを切断しておき、ＲＯＭ交換等を行って基板保護ケースを閉止した後に、封印シールが切断された形跡を外観上、及び電気的に検出することができないようにする不正行為を防止する。【解決手段】基板保護ケース１と、封印シール接着部Ａに接着される封印シール５０と、封印シール接着部に対して着脱可能に装着され装着時に封印シールを包囲するキャップと、を備え、キャップは、封印シール接着部の一側方から該封印シール接着部外面に対して装着可能なキャップ本体と、該キャップ本体を装着したときに両突出片間に挿入されるシール破断用切断部材と、から一体構成され、キャップを突出片の先端縁方向へ向けて移動させて封印シール接着部から離脱させる際に切断部材が封印シールを破断する。【選択図】図２
2010178903.tif 000002
【特許請求の範囲】
【請求項１】
制御基板を間に挟んで収容する開閉可能な２つのケース片を有した基板保護ケースと、前記２つのケース片の周縁部に夫々設けた突出片から成る封印シール接着部において少なくとも一方の前記突出片に接着される封印シールと、前記封印シール接着部に対して着脱可能に装着され装着時に前記封印シールを包囲するキャップと、を備え、
前記キャップは、前記封印シール接着部に対して、前記制御基板の面方向と並行な一側方から、又は該制御基板の面方向と直交する方向から該封印シール接着部外面に対して装着可能なキャップ本体と、該キャップ本体を該封印シール接着部に装着したときに前記両突出片間に挿入されるシール破断用切断部材と、から一体構成され、
前記キャップを前記突出片の先端縁方向へ向けて移動させて前記封印シール接着部から離脱させる際に前記切断部材が前記封印シールを破断するように構成されていることを特徴とする基板保護ケースの封印構造。
【請求項２】
前記キャップを前記封印シール接着部に対して前記制御基板の面方向と並行な一側方から装着する場合には、
前記キャップ本体は、前記封印シール接着部の先端面、上面、下面、及び一側面と夫々対面する先端壁、上壁、下壁、及び一側壁を有し、前記一側壁の中間部から前記キャップ本体内部に向けて前記切断部材を突出した構成を備えていることを特徴とする請求項１に記載の基板保護ケースの封印構造。
【請求項３】
前記キャップを前記封印シール接着部に対して前記制御基板の面方向と直交する方向から装着する場合には、
前記キャップ本体は、前記封印シール接着部の先端面、上面又は下面、及び両側面と夫々対面する先端壁、上壁又は下壁、及び両側壁を有し、前記上壁又は下壁から前記キャップ本体内部に向けて前記切断部材を突出した構成を備えていることを特徴とする請求項１に記載の基板保護ケースの封印構造。
【請求項４】
前記下ケース片、又は／及び、前記上ケース片には、前記キャップが前記封印シール接着部に装着された状態において前記切断部材を支持した前記キャップ本体の特定部位を覆う改変阻止部材が突設されていることを特徴とする請求項１、２、又は３に記載の基板保護ケースの封印構造。
【請求項５】
少なくとも一つの前記改変阻止部材はカシメ締結部から成り、
前記カシメ締結部は、前記両ケース片に夫々設けられ且つ穴部が連通する環状部と、該各環状部の各穴部内に圧入されるカシメピンとから構成されていることを特徴とする請求項４に記載の基板保護ケースの封印構造。
【請求項６】
前記キャップ本体の一側壁には穴部を有した突片が設けられており、
前記キャップを前記封印シール接着部に装着した状態では、前記突片は前記各環状部に当接した状態となり、
前記各環状部及び前記突片の各穴部に前記カシメピンを圧入することにより、前記キャップは前記下ケース片及び前記上ケース片と一体化されることを特徴とする請求項５に記載の基板保護ケースの封印構造。
【請求項７】
前記封印シールは、接着シートと、該接着シート面に固定されたＩＣチップ、及び該ＩＣチップから延びる導体パターンを含んだＲＦＩＤと、を有していることを特徴とする請求項１乃至６の何れか一項に記載の基板保護ケースの封印構造。
【請求項８】
前記キャップを離脱させて前記封印シールを破断させたときに前記ＲＦＩＤが破断するように構成したことを特徴とする請求項７に記載の基板保護ケースの封印構造。
【請求項９】
請求項１乃至８の何れか一項に記載の基板保護ケースの封印構造を備えたことを特徴とする遊技機。
【発明の詳細な説明】
【技術分野】
【０００１】
本発明は、パチンコ遊技機、スロットマシン等の各種遊技機に搭載されたＲＯＭを交換する等の不正行為によって基板保護ケースが開放された形跡を確実に残して不正行為を発見可能とし、効果的に予防することができる基板保護ケースの封印構造、及び遊技機に関する。
【背景技術】
【０００２】
パチンコ遊技機、スロットマシン等の各種遊技機に搭載されるＲＯＭを不正に取り換えることにより、遊技内容を遊技者に都合よく進行させて出球を獲得する不正行為が所謂ゴト師によって行われ、その手法は巧妙化している。
ＲＯＭの不正な取り換えは、工場から出荷された遊技機が遊技場に設置される以前の段階、或いは設置後に行われる可能性が高い。
このような不正行為に対する対策として特許文献１には、制御基板上のＲＯＭを包囲するケース体とカバー体とを分離不能な結合手段によって結合することにより、結合手段を破壊した場合にはその痕跡が必ず残るようにした技術が提案されている。
しかし、不正行為者の手口が日々巧妙化することにより、結合手段を破壊してＲＯＭを交換した後で、形跡が残らないように新たな結合手段を組み付ける可能性がある。
特許文献２にも不正防止のための装置構成が開示されているが、特許文献１の場合と同様の欠点を有している。
【０００３】
このような不具合に対処すべく、封印シールを用いて基板保護ケースを封印することが行われているが、カッタを用いて封印シールを切断してから基板保護ケースを開放し、ＲＯＭを交換して基板保護ケースを閉止してから封印シールの切断面を修復すると、目視によって切断箇所の有無を判別できなくなるケースが多々あった。そのような不具合に対処するため、ＲＦＩＤを組み込んだ封印シールが用いられるようになっている。
即ち、特許文献３には、識別情報を記憶したＲＦＩＤ（非接触型記憶媒体）を組み込んだ封印シールを基板保護ケースを構成するケース本体とケース蓋とに跨って接着することにより、基板保護ケースが不正に開放された場合にＲＦＩＤが破断、断線して識別情報の読取りが不可能となるようにした技術が開示されている。これによれば、読み取り装置を用いてＲＦＩＤに記憶された識別情報を読取ることができない場合に、不正に基板保護ケースが開放されたことを知ることができる。
特許文献４、５にも、ＩＣタグやテープ型のインレットを用いた同様の不正発見のための技術が開示されている。
【０００４】
図８及び図１０は従来の基板保護ケースの構成を示す斜視図、及び分解斜視図である。内部に制御基板１２０を収容した基板保護ケース１００は、ケース本体１０１とケース蓋１０２とを接合させた構成を備えている。基板保護ケース１００の一端部に位置するケース本体とケース蓋との突き合わせ部１０３には封印シール１１０が両者に跨って接着されている。また、突き合わせ部１０３とは反対側の端部にはカシメピンによる締結部１３０が設けられており、封印シール１１０と締結部１３０による不正行為の防止対策が採られている。
封印シール１１０は一面に接着層を有した紙等の破断し易い材質から成る接着シート１１１と、接着シートに固定されたＲＦＩＤ（例えば、ＩＣタグ）１１２と、を備えている。ＲＦＩＤ１１２は、電力生成回路、変復調回路、記憶回路、制御回路を含むチップ１１３と、チップから反対方向に延びる二本の導体パターン１１４と、各導体パターン１１４の先端に接続されたアンテナ部１１５と、を有している。図示しない読み取り装置からＲＦＩＤ１１２に向けて読み取り用の電磁波を照射すると、チップ内の電力生成回路が電磁誘導作用により起電力を生成し、この起電力により作動する制御回路によって記憶回路内に記憶された識別情報を読み出してアンテナから読み取り装置へ送信することにより識別情報を読取ることができる。
ＲＦＩＤ１１２を構成する導体パターン１１４は接着シート１１１の対角線方向へ延びており、導体パターン１１４が突き合わせ部１０３と交差するように封印シールを接着しておくことにより、基板保護ケースが不正に開放された場合に導体パターンの一部が断線して記憶情報の読み出しを不可能とすることができる。
【０００５】
しかし、本出願人による実験によれば、基板保護ケースを開放する際に封印シール１１０が破れることによってＲＦＩＤ１１２を構成する導体パターンが一箇所だけ破断したとしても、基板保護ケースを再閉止する際に封印シールの状態を修復して破断部間の導通を回復させることが可能であった。
特に、直線的に延びる突き合わせ部１０３に沿ってカッタによって封印シール１１０を切断する過程で導体パターンを一箇所切断した程度の破断状態では、後の修復作業によって導体パターンを再導通させることが比較的容易となる。
また、封印シールとしてＲＦＩＤを含まないタイプを使用した場合においても、カッタによって封印シールを修復可能な程度に切断することは可能である。
【先行技術文献】
【特許文献】
【０００６】
【特許文献１】特開２００６−１３０３５２公報
【特許文献２】特開２００７−１６０００４公報
【特許文献３】特開２０００−３３４１５４公報
【特許文献４】特許第４１２９９８５号
【特許文献５】特開２００８−３６２２８公報
【発明の概要】
【発明が解決しようとする課題】
【０００７】
以上のように、ＲＯＭを搭載した制御基板を収容する基板保護ケースが不正に開放された形跡が残るようにするために、ＲＦＩＤを組み込んだ封印シールによって基板保護ケースを封印する方法を採用した場合には、基板保護ケースの開放によって封印シール及びＲＦＩＤを一旦破断、断線させたとしても基板保護ケースの再閉止時に封印シールを修復してＲＦＩＤによる通信機能を回復させることが可能であった。また、封印シールとしてＲＦＩＤを含まないタイプを使用した場合にも、外観上形跡が残らない程度に切断することは可能であった。
本発明は上記に鑑みてなされたものであり、封印シールによって封印された基板保護ケースを不正に開放するために、修復可能となる程度に事前に封印シールを切断しておき、ＲＯＭ交換等を行って基板保護ケースを閉止した後に、封印シールが切断された形跡を外観上、及び電気的に検出することができないようにする不正行為を防止することを目的としている。
【０００８】
例えば、ＲＦＩＤを組み込んだ封印シールによって封印された基板保護ケースを不正に開放するために、ＲＦＩＤが修復可能となる程度に封印シールを事前に切断する行為を不可能とすることにより、基板保護ケースの開放作業において必ず封印シールに含まれるＲＦＩＤが修復不能な程度に破断、断線されることとなる。
また、ＲＦＩＤを組み込まない封印シールを用いた場合においても、基板保護ケースを開放した場合には目視による破断部の確認が可能となり、しかも修復が困難となる程度に破断させることができる基板保護ケースの封印構造を提供することを他の目的としている。
本発明においては、基板保護ケースを開放する時点で封印シールが破断するように構成した場合の不具合である封印シールに対する加工（カッタによる切断）を不可能にして、再生不能な程度に封印シールを破断させることを目的としている。
【課題を解決するための手段】
【０００９】
上記目的を達成するため、請求項１の発明に係る基板保護ケースの封印構造は、制御基板を間に挟んで収容する開閉可能な２つのケース片を有した基板保護ケースと、前記２つのケース片の周縁部に夫々設けた突出片から成る封印シール接着部において少なくとも一方の前記突出片に接着される封印シールと、前記封印シール接着部に対して着脱可能に装着され装着時に前記封印シールを包囲するキャップと、を備え、前記キャップは、前記封印シール接着部に対して、前記制御基板の面方向と並行な一側方から、又は該制御基板の面方向と直交する方向から該封印シール接着部外面に対して装着可能なキャップ本体と、該キャップ本体を該封印シール接着部に装着したときに前記両突出片間に挿入されるシール破断用切断部材と、から一体構成され、前記キャップを前記突出片の先端縁方向へ向けて移動させて前記封印シール接着部から離脱させる際に前記切断部材が前記封印シールを破断するように構成されていることを特徴とする。
一方のケース片と、一方のケース片との間で制御基板を収容し且つ該一方のケース片に対して開閉可能に構成された他方のケース片と、を有した基板保護ケースにおいて、少なくとも一方のケース片の端縁（封印シール接着部）に封印シールを接着した場合に、封印シールを包囲するようにキャップを封印シール接着部に装着する。キャップは、キャップ本体と、切断部材とから一体的に構成されているため、キャップを封印シール接着部に装着した際に、切断部材は封印シール接着部内に収容された状態となる。キャップを取り外そうとすると切断部材も同時に離脱し、その離脱過程で封印シールを破断することとなる。
このように基板保護ケースを不正に開放するためにキャップを離脱させると、封印シールを破断させることができる。このため、封印シール接着部に接着した封印シールが著しく破損されることとなり、復旧不能となり、且つ目視によって封印シールの破損の有無を知ることができ
る。
キャップの装着方向は、制御基板面（両ケース片面）と並行な方向であっても良いし、制御基板面と直交する方向であってもよい。
【００１０】
請求項２の発明に係る基板保護ケースの封印構造では、前記キャップを前記封印シール接着部に対して前記制御基板の面方向と並行な一側方から装着する場合には、前記キャップ本体は、前記封印シール接着部の先端面、上面、下面、及び一側面と夫々対面する先端壁、上壁、下壁、及び一側壁を有し、前記一側壁の中間部から前記キャップ本体内部に向けて前記切断部材を突出した構成を備えていることを特徴とする。
キャップの一方の側壁が開放しているため、封印シール接着部の一側方からキャップを装着することが可能となる。
請求項３の発明に係る基板保護ケースの封印構造は、前記キャップを前記封印シール接着部に対して前記制御基板の面方向と直交する方向から装着する場合には、前記キャップ本体は、前記封印シール接着部の先端面、上面又は下面、及び両側面と夫々対面する先端壁、上壁又は下壁、及び両側壁を有し、前記上壁又は下壁から前記キャップ本体内部に向けて前記切断部材を突出した構成を備えていることを特徴とする。
キャップの下壁、又は上壁が開放しているため、封印シール接着部の上方又は下方からキャップを装着することが可能となる。
【００１１】
請求項４に係る発明では、前記下ケース片、又は／及び、前記上ケース片には、前記キャップが前記封印シール接着部に装着された状態において前記切断部材を支持した前記キャップ本体の特定部位を覆う改変阻止部材が突設されていることを特徴とする。
切断部材をキャップ本体から分離するためにキャップ本体の特定部位（切断部材支持部）を破壊する行為が行われる可能性があるが、このような行為を阻止するためには改変阻止部材を設けることが有効である。
請求項５の発明に係る基板保護ケースの封印構造は、少なくとも一つの前記改変阻止部材はカシメ締結部から成り、前記カシメ締結部は、前記両ケース片に夫々設けられ且つ穴部が連通する環状部と、該各環状部の各穴部内に圧入されるカシメピンとから構成されていることを特徴とする。
改変阻止部材を突き合わせ部（キャップ装着部）の側方に配置した場合に、この改変阻止部材として両ケース片を締結するためのカシメ締結部を兼用したものを採用すれば、部品点数を低減し、構造のシンプル化を実現できる。
【００１２】
請求項６の発明に係る基板保護ケースの封印構造は、前記キャップ本体の一側壁には穴部を有した突片が設けられており、前記キャップを前記封印シール接着部に装着した状態では、前記突片は前記各環状部と接した状態となり、前記各環状部及び前記突片の各穴部に前記カシメピンを圧入することにより、前記キャップは前記下ケース片及び前記上ケース片と一体化されることを特徴とする。
これによれば、キャップの不正な離脱行為を、確実に防止できる。
請求項７の発明に係る基板保護ケースの封印構造は、前記封印シールは、接着シートと、該接着シート面に固定されたＩＣチップ、及び該ＩＣチップから延びる導体パターンを含んだＲＦＩＤと、を有していることを特徴とする。
請求項８の発明に係る基板保護ケースの封印構造は、前記キャップを離脱させて前記封印シールを破断させたときに前記ＲＦＩＤが破断するように構成したことを特徴とする。
請求項９の発明に係る遊技機は、請求項１乃至８の何れか一項に記載の基板保護ケースの封印構造を備えたことを特徴とする。
【発明の効果】
【００１３】
以上のように本発明によれば、基板保護ケースを不正に開放するために封印シールを覆うキャップを取り外した場合に、封印シール接着部の外面に接着された封印シールがキャップと一体化された切断部材によって確実に破断されるように構成した。即ち、基板保護ケースに接着された封印シールをキャップによって包囲するように構成する一方で、キャップ離脱時に、キャップと一体化された切断部材が封印シールの外観（ＲＦＩＤを備えた封印シールの場合には及び封印シール上のＲＦＩＤ）を著しく破損するように構成したので、目視によって封印シールの破損の有無を知ることができるばかりでなく、読み取り装置からＲＦＩＤに対して読み取り用の電磁波を照射した際のＲＦＩＤからの応答信号がないことによっても封印シールが破損されていることを的確に知ることができる。
仮に、キャップによって封印シールを隠蔽しない場合には、遊技機の背面に配置された基板保護ケースに対して不正行為をしようとする者は露出状態にある封印シールをカッタによって再生可能なように切断して基板保護ケースを開封、開放することが可能となる。これに対して本発明においては、キャップを離脱させた時点で切断部材によって封印シールが破断することとなるので、不正行為者の都合のよい再生可能な程度に封印シールの破断状態を留めることができなくなる。
【図面の簡単な説明】
【００１４】
【図１】（ａ）は本発明の封印構造を備えた基板保護ケースの外観構成を示す斜視図であり、（ｂ）はその正面図、（ｃ）はその左側面図である。
【図２】本発明の封印構造を備えた基板保護ケースの分解斜視図である。
【図３】（ａ）及び（ｂ）は基板保護ケースの他の分解斜視図である。
【図４】（ａ）及び（ｂ）は基板保護ケースの突き合わせ部（キャップ装着部）にキャップを装着する手順を示す要部構成図であり、（ｃ）はカシメ締結部の拡大図である。
【図５】（ａ）乃至（ｃ）は突き合わせ部に対して切断部材、封印シール、キャップを組み付ける手順を示す模式図である。
【図６】（ａ）乃至（ｅ）はキャップの斜視図、正面図、底面図、左側面図、及び右側面図である。
【図７】封印シールの構成例を示す説明図である。
【図８】本発明の他の実施形態に係る封印構造を備えた基板保護ケースの要部構成説明図であり、（ａ）は分解斜視図、（ｂ）は組付け途中を示す斜視図、（ｃ）は組付け状態を示す斜視図であり、（ｄ）はキャップの構成を示す斜視図である。
【図９】従来の基板保護ケースの構成を示す斜視図である。
【図１０】図９の基板保護ケースの分解斜視図である。
【発明を実施するための形態】
【００１５】
以下、本発明を図面に示した実施の形態により詳細に説明する。
図１（ａ）は本発明の封印構造を備えた基板保護ケースの外観構成を示す斜視図であり、（ｂ）はその正面図、（ｃ）はその左側面図であり、図２は本発明の封印構造を備えた基板保護ケースの分解斜視図であり、図３（ａ）及び（ｂ）は基板保護ケースの他の分解斜視図であり、図４（ａ）及び（ｂ）は基板保護ケースの突き合わせ部（キャップ装着部）にキャップを装着する手順を示す要部構成図であり、（ｃ）はカシメ締結部の拡大図であり、図５（ａ）乃至（ｃ）は突き合わせ部に対して切断部材、封印シール、キャップを組み付ける手順を示す模式図であり、図６（ａ）乃至（ｅ）はキャップの斜視図、正面図、底面図、左側面図、及び右側面図であり、図８は封印シールの構成例を示す説明図である。
【００１６】
基板保護ケース１は、ＲＯＭを始めとした電子部品を搭載した図示しない制御基板（プリント基板）を内部に収容した状態でパチンコ遊技機等の遊技機の背面に台座８０（図２）を介して組み付けられる。
基板保護ケース１は、ＲＯＭを搭載した制御基板（プリント基板）を間に挟んだ状態で内部に収容する透明な樹脂製の２つのケース片（下ケース片１０、上ケース片２０）と、両ケース片１０、２０の端縁間に跨って接着される封印シールを包囲するために両ケース片に跨って装着されるキャップ４０と、キャップ４０の内部に一体化されて配置された封印シール切断用切断部材（以下、切断部材、という）４５と、を備えている。
本例では、下ケース片１０は制御基板を間に挟んで上ケース片２０に対してカシメ部材３ａにより固定される。
【００１７】
基板保護ケース１の端縁に沿った適所には、カシメ部材３ａ（カシメピン２８、カシメ板６２、６６）を用いたカシメ締結部３（２７、６０）が配置され、カシメ締結部に設けた締結穴内にカシメ部材を打ち込むことにより両ケース片１０、２０は閉止状態でロックされる。締結穴に打ち込まれたカシメ部材を除去することによって両ケース片１０、２０は開閉、着脱可能な状態となる。
なお、台座８０は、遊技機本体の背面側に設けた遊技機側保持部に対して基板保護ケース１を取り付けるための連結手段であり、下ケース片１０に設けたフック部１１を台座８０に設けた軸部８１に係合させることにより、基板保護ケース１は軸部８１を中心として上下方向へ回動する。即ち、基板保護ケース１の下ケース片１０がこの台座８０により保持されるため、基板保護ケース１は遊技機側の軸部８１を中心として上下方向へ回動する。
制御基板を収容した基板保護ケース１は、下ケース片１０を台座８０を介してパチンコ遊技機等の遊技盤の背面に添設させた状態で組み付けられるため、遊技盤の背面側から上ケース片２０を通して内部の制御基板面に搭載された電子部品を視認することができる。また、台座８０の上部に位置する軸部８１を中心として基板保護ケース１を上方に回動させることにより、透明な下ケース片１０の底面から基板保護ケース内部を確認することができる。
【００１８】
上記の如き構成を備えた基板保護ケース１を封印する手段として、封印シール５０が使用される。封印シール５０としては単なるシート状の接着シールであってもよいが、本例ではＲＦＩＤを組み込んだ封印シール５０を一例として説明する。
なお、本実施形態では、基板保護ケース１の周縁のうち封印シール５０を接着する部位（封印シール接着部）を、各ケース片１０、２０の端縁から夫々突出した突出片２１、２２から成る突き合わせ部Ａから構成している例を示す。
即ち、基板保護ケース１が図１のように閉止状態にある時に、重なり合った下ケース片１０と上ケース片の端縁間（突き合わせ部Ａ＝封印シール接着部）に跨るように封印シール５０を接着することにより、封印シール５０を破損せずには両ケース片を開放できないように構成されている。即ち、下ケース片１０と上ケース片２０の長手方向一端縁には夫々突出片１２、２２が設けられており、両突出片１２、２２は、突き合わせ部Ａを構成している。即ち、両突出片１２、２２は、下ケース片１０と上ケース片２０の長手方向一端縁の同一位置に設けられることにより、両ケース片を閉止した時に両突出片１２、２２が整合状態となって突き合わせ部（封印シール接着部）Ａを形成する。
なお、本例では、両ケース片１０、２０は、図１中の（イ）（ロ）で示した逆方向（制御基板面と平行な面方向）にスライドすることにより開閉される例を示しているが、開閉方向はこれに限定されるものではない。
なお、本例では、封印シール接着部Ａを両突出片１２、２２から構成したが、封印シール接着部Ａを一方の突出片のみから構成し、この一つの突出片に対してキャップを装着するように構成してもよい。
【００１９】
キャップ４０は、突き合わせ部（封印シール接着部）Ａの一側面に向けて一側方（ハ）から突き合わせ部の外面に対して装着可能なキャップ本体４１と、キャップ本体４１を突き合わせ部の一側方（ハ）から突き合わせ部に沿って装着したときに両突出片間に挿入（圧入）される薄板状のシール破断用切断部材４５と、から一体構成されている。
更に、キャップを突き合わせ部Ａ（両突出片）の先端縁方向（ニ）（装着方向（ハ）と直交する方向）へ向けて移動させて封印シール接着部から離脱させる際に、両突出片間から抜き出た切断部材４５が封印シールを破断するように構成されている。
キャップ本体４１は、突き合わせ部Ａの先端面、上面、下面、及び一側面と夫々対面する先端壁４１ａ、上壁４１ｂ、下壁４１ｃ、及び一側壁４１ｄを有し、一側壁４１ｄの中間部からキャップ本体内部に向けて切断部材４５を突出した構成を備えている。切断部材４５の長さＬは本例ではキャップ本体の長さの１／２以下に設定してあるが、これは樹脂材料から成るキャップ４０における切断部材４５の支持強度を維持（封印シール切断時の折損防止）する必要からである。この程度の長さＬを有した切断部材４５によって突き合わせ部外面に接着された封印シール５０を切断する場合には、封印シールの全長を切断することはできないが、切断部材により封印シールを切断する目的は封印シールを２つに分断することにあるのではなく、封印シールの外観に破断された形跡を残したり、ＲＦＩＤを使用不能な程度に破断することにあるため、この程度の長さＬであっても十分である。
なお、切断部材４５による封印シールの切断時に、切断部材が一側壁４１ｄから折損することを防止できるのであれば、切断部材４５の長さを更に長尺にしてもよい。
【００２０】
また、切断部材４５の幅Ｗは、その刃先４６がキャップ本体の先端壁４１ａとの間に封印シールや両突出片の一部が入り込むのに十分なギャップＧを確保できる程度に設定する。
キャップ本体４１の他の側面４１ｅは開放しているため、この側面４１ｅの開放部からキャップ本体を突き合わせ部Ａの外面に装着することができる。
切断部材４５は、両突出片１０、２０と並行な板材であるため、キャップ本体４１を先端縁方向（ニ）へ離脱させる際に両突出片の先端縁間の隙間から抜き出ることができる。
【００２１】
このようにキャップ４０は、突き合わせ部Ａの外面に封印シール５０を接着した状態で封印シールを包囲（隠蔽）するように突き合わせ部の外面に対して突き合わせ部の一側方（ハ）から装着される（図５（ａ）（ｂ））。キャップ４０を突き合わせ部の外面に装着することにより、図５（ｂ）に示すようにキャップ本体の先端壁４１ａと切断部材４５の先端縁との間に封印シール５０が位置した状態となる。この状態から図５（ｃ）に示すようにキャップ４０を先端縁方向（ニ）へ離脱させると、離脱する過程においてキャップ本体４１と一体化された切断部材４５の刃先が封印シールを破断する。
なお、図示した実施形態では、キャップ４０は、封印シールを含む突出片１２、２２全体を包囲している例を示したが、キャップは封印シールの少なくとも一部を包囲するように突き合わせ部（封印シール接着部＝キャップ装着部）Ａの少なくとも一部に装着される構成であればよい。このことは、以下の全ての実施形態についても同様に当てはまる。
【００２２】
次に、封印シール５０は図７に示すように一面に接着層を有した紙等の破断し易い材質から成る接着シート５１と、接着シート５１の一面に固定されたＲＦＩＤ（例えば、ＩＣタグ等の非接触型の電波による識別手段）５５と、を備えている。ＲＦＩＤ５５は、電力生成回路、変復調回路、記憶回路、制御回路を含むチップ５６と、チップ５６から反対方向に延びる二本の導体パターン（アンテナ）５７と、を有している。本例の封印シール５０は矩形の接着シート５１の略中心部にチップ５６を配置すると共に、チップ５６から略対角線方向へ向けて各導体パターン５７を引き出している。
図示しない読み取り装置からＲＦＩＤ５５に向けて読み取り用の電磁波を照射すると、アンテナ部を構成する導体パターン５７が電磁波を受信し、チップ５６に電磁波を供給する。この電磁波によりチップ５６内の電力生成回路が電磁誘導作用による起電力を生成し、この起電力により作動する制御回路によって記憶回路内に記憶された識別情報を読み出してアンテナ部から読み取り装置へ送信することにより識別情報の読取りが行われる。
ＲＦＩＤを構成する線状の導体パターン５７は接着シート５１の略対角線方向へ延びており、導体パターン５７が突き合わせ部Ａと交差するように封印シール５０を接着しておくことにより、基板保護ケースが不正に開放された場合に導体パターンの一部が断線して記憶情報の読み出しを不可能とすることができる。
【００２３】
本実施形態においては、基板保護ケースの突き合わせ部Ａの外面に両ケース片の突出片１２、２２に跨るように封印シール５０を接着した状態において、突き合わせ部の外面にキャップ本体４１を被せるように装着しているが、この際両突出片１２、２２間に切断部材４５が位置している。従って、基板保護ケースを開放する前の段階、即ちキャップ４０を突き合わせ部から離脱させる過程で切断部材４５が封印シール５０を破断する動作が実施される。
切断部材４５はその先端（離脱方向先端）にギザギザ状の刃部４６とする等の工夫により、切断部材４５が両突出片１２、２２の突き合わせ位置から外部に突出したときに、接着シート５１と共にＲＦＩＤ５５の一部（チップ部５６や導体パターン５７）が破断（断線）して、ＲＦＩＤの通信機能が喪失されるように構成されている。ＲＦＩＤの通信機能が喪失されると、読み取り装置から電磁波を供給してもＲＦＩＤが作動せず、記憶された識別情報を読み出すことができなくなるため、基板保護ケースが不正に開放されたことを知ることができる。
【００２４】
また、封印シール５０を包囲するキャップ４０を基板保護ケースに装着しただけの構造であって、キャップを外したときに封印シールが破れないとすれば、キャップを外してから剥離剤を用いて封印シールを剥がしたり、復旧可能な最小限の損傷となるようにカッタを用いて封印シールを切断する等の不正行為も行われ得る。これに対して本発明では、キャップを外した時点で封印シールが復旧不可能な程度に破断されるので、不正行為を完全に防止できることとなる。
次に、上記の如くキャップ本体４１と切断部材４５を一体化する構成を採用した場合、不正行為者は、切断部材４５を支持するキャップ本体の一側壁４１ｄをカッタ等により破損、除去して切断部材をキャップ本体から分離しようとする可能性がある。この場合、キャップのみを取り外すことが可能となり、その後封印シールをカッタにより復旧可能な程度に切断して基板保護ケースを開放し、ＲＯＭ交換などの不正行為を実施することができる。
このような不正行為に対処するため、本発明においては、キャップ４０を突き合わせ部Ａに装着した際に切断部材４５を支持する一側壁４ｄの外側位置に、改変阻止用の改変阻止部材としてのカシメ締結部２７を突出している。カシメ締結部２７は、カシメピン２８による両ケース片の封止手段である。
【００２５】
本構成によれば、不正行為者がキャップ本体内の切断部材４５を分離するためにキャップを破損しようとしても、一側壁４１ｄの外側部位にはケース片から改変阻止部材としてのカシメ締結部２７が突出しているため、カシメ締結部２７を除去、破損した形跡を残すことなく、一側壁４１ｄを破壊して切断部材４５との係合を解除することは不可能となる。従って、遊技機の管理者は、カシメ締結部２７を除去、破損した形跡をチェックすることにより、不正行為の有無を容易に知ることができる。また、このようなカシメ締結部２７を除去、破損するためには、少なくない時間を要するため、不正行為者は不正行為を断念せざるを得ない結果となる。
カシメ締結部２７は、下ケース片１０に設けた第１の環状部２７ａと、上ケース片２０に設けた第２の環状部２７ｂと、両環状部に圧入されて固定されるカシメピン（カシメ部材）２８と、から構成されている。両環状部２７ａ、２７ｂは、両ケース片を整合状態で閉止した時にその穴部同士が連通状態となり、この両穴部内にカシメピン２８を圧入することにより、カシメピンを除去しない限り基板保護ケースの開放が困難となる。
各環状部２７ａ、２７ｂは、各ケース片本体１０、２０に対してリブ２７ｃによって連結されているため、カシメ締結部を除去するためにはこのリブ２７ｃを切断することが近道であるが、切断したリブを修復することは困難であり、外観上切断されていることを容易に知ることができる。
【００２６】
なお、本発明ではカシメ締結部２７を設けた基板保護ケース端縁とは反対側の端縁に他のカシメ締結部６０（本例では二箇所６０ａ、６０ｂ）を設けており、両カシメ締結部による封止によって基板保護ケースの封止が完全となる。
なお、本実施形態では、キャップ４０をカシメ締結部２７により固定（共締め）することにより、キャップ４０を突き合わせ部Ａから不正に離脱させる行為を防止する構成を採用している。
即ち、キャップ４０の一側壁４１ｄには、改変阻止部材２７（２７ａ、２７ｂ）に設けた穴部と連通する穴部４７ａを有した突片４７を設けた構成が特徴的である。この突片４７は、上下のケース片１０、２０を閉止して突出片１２、２２（突き合わせ部Ａ）にキャップ４０を装着する際に、改変阻止部材２７の両環状部２７ａ、２７ｂ間に介在した状態となる。このため、両環状片２６ａ、２７ｂの穴部にカシメピンを圧入する際にキャップの突片４７の穴部４７ａにもカシメピン２８が挿通された状態となり、キャップ４０を両ケース片と一体化することができる。従って、キャップ４０を離脱させるためには、突片４５を破損させたり、改変阻止部材２７を破損する必要があり、この場合には不正行為の形跡を確実に残すこととなる。
【００２７】
次に、図８は本発明の他の実施形態に係る封印構造を備えた基板保護ケースの要部構成説明図であり、（ａ）は分解斜視図、（ｂ）は組付け途中を示す斜視図、（ｃ）は組付け状態を示す斜視図であり、（ｄ）はキャップの構成を示す斜視図である。
この実施形態に係る封印構造は、閉止状態にあるケース片１０、２０の端縁から夫々突出した突出片２１、２２が制御基板の面方向に沿って略直線状に配列された状態となっている。また、両突出片２１、２２の対向する内側端縁間にはギャップＧが設けられており、このギャップＧはキャップ４０に設けた切断部材４５を嵌合させる切断部材収納部を形成する。
封印シール５０は両突出片２１、２２から成る突き合わせ部Ａ（封印シール接着部）の一面、或いは両面に跨って接着される。
キャップ４０は、封印シール接着部の先端面、上面、及び両側面と夫々対面する先端壁４１ａ、上壁４１ｂ、左右側壁４１ｄ、４１ｅから成り、下面のほぼ全面と、後面の少なくとも一部が開放している。また、上壁４１ｂの天井面から下方に向かって切断部材４５が突設されている。切断部材４５はその先端に刃部４５ａを有している。
【００２８】
本実施形態においては、キャップ４０は制御基板面と略直交する方向（ホ）から突き合わせ部Ａに装着され、装着が完了した際には切断部材４５はギャップＧ内に収納された状態となる。
なお、キャップ４０の上壁側を開放部とし、下壁に切断部材を固定するようにしてもよい。この場合には、キャップは突き合わせ部Ａの下側から装着されることとなる。
図８（ｃ）のように突き合わせ部Ａに装着したキャップ４０を先端方向（ニ）へ向けて離脱させることにより、切断部材４５が封印シール５０を切断する。
【００２９】
また、本実施形態でも、キャップ４０をカシメ締結部２７により固定（共締め）することにより、キャップ４０を突き合わせ部Ａから不正に離脱させる行為を防止する構成を採用している。
即ち、キャップ４０の両側壁４１ｄ、４１ｅに、改変阻止部材２７（２７ａ、２７ｂ）に設けた穴部と連通する穴部４７ａを有した突片４７を設けた構成が特徴的である。この突片４７は、上下のケース片１０、２０を閉止して突出片１２、２２（突き合わせ部Ａ）にキャップ４０を装着する際に、改変阻止部材２７の両環状部２７ａ、２７ｂの最上面に着座（当接）した状態となる。このため、両環状片２６ａ、２７ｂの穴部にカシメピンを圧入する前にキャップの突片４７の穴部４７ａにもカシメピン２８が挿通された状態となり、キャップ４０を両ケース片と一体化することができる。従って、キャップ４０を離脱させるためには、突片４５を破損させたり、改変阻止部材２７を破損する必要があり、この場合には不正行為の形跡を確実に残すこととなる。
なお、改変阻止部材２７、及び突片４７は何れか一方の側壁（４１ｄ又は４１ｅ）のみに設けても良い。
【００３０】
また、キャップ４０を突き合わせ部Ａの下側から装着する構成を採用する場合には、突片４７は改変阻止部材２７の下面に着座（当接）した状態でカシメピンにより連結されることとなる。
また、キャップを装着する側に位置するケース片（図示した例では上ケース片２０）の先端面にキャップの抜け落ちを防止する弾性係止片２０ａを突設して、装着したキャップが安易に離脱しないようにしてもよい。
なお、封印シールを貼る位置は、上記各実施形態では制御基板の短辺に沿った位置としたが、長辺に沿った位置であってもよい。
なお、使用する封印シールの形状、面積、接着シール上におけるＲＦＩＤの位置等は、接着対象物となる各ケース片の形状等に応じて種々選定可能である。
【００３１】
以上のように本発明によれば、基板保護ケースに接着された封印シールをキャップによって包囲すると共に、キャップを離脱させる際に封印シールが破断するように構成し、しかもキャップと一体化された切断部材の形状を工夫することにより封印シールを復旧不能な程度に破断させることが可能となる。従って、例えばＲＦＩＤ５５を組み込んだ封印シール５０を用いた場合であっても、封印シールに含まれるＲＦＩＤを復旧不能な程度に破断、断線させることができ、封印シールを修復しようとしてもＲＦＩＤの通信機能の回復を困難化することができる。また、封印シールの外観上最も視認し易い部位を破壊することにより外観上も一目で不正行為の存在をしることが可能となる。
即ち、キャップ離脱時に、封印シールの外観（ＲＦＩＤを備えた封印シールの場合には及び封印シール上のＲＦＩＤ）を著しく破損せねばならないように構成したので、目視によって封印シールの破損の有無を知ることができるばかりでなく、読み取り装置からＲＦＩＤに対して読み取り用の電磁波を照射した際のＲＦＩＤからの応答信号がないことによっても封印シールが破損されていることを的確に知ることができる。
【００３２】
仮に、キャップによって封印シールを隠蔽しない場合には、遊技機の背面に配置された基板保護ケースに対して不正行為をしようとする者は露出状態にある封印シールをカッタによって再生可能なように切断して基板保護ケースを開封、開放することが可能となる。これに対して本発明においては、キャップを離脱させた時点で破断力を高めた切断部材によって封印シールが破断することとなるので、不正行為者の都合のよい再生可能な程度に封印シールの破断状態を留めることができなくなる。
また、封印シールとしてＲＦＩＤを備えていない単なる接着シートを使用した場合においても、接着シートを修復不能となるように切断することができるので、本発明の基板保護ケースの不正開放の形跡を残すことができる。
不正行為者は、キャップの一側壁に固定された切断部材を除去することにより、キャップから切断部材を分離させようと試みる虞がある。このような不正行為に対処するために、キャップ装着部の一側方に切断部材を除去する作業を妨げる改変阻止部材を配置することが有効である。
改変阻止部材を突き合わせ部の一側方に配置した場合に、この改変阻止部材として両ケース片を締結するためのカシメ締結部を兼用したものを採用すれば、部品点数を低減し、構造のシンプル化を実現できる。
また、キャップの一側部に穴部を有した突片を設け、キャップを突き合わせ部に装着した状態で、突片が各環状部の間に挟まれた状態となり、各環状部及び突片の各穴部にカシメピンを圧入することにより、キャップが下ケース片及び上ケース片と一体化されるように構成したので、キャップの不正な離脱行為を、確実に防止できる。
本発明に係る基板保護ケースは、パチンコ遊技機、スロットマシン等の遊技機に装備される制御基板を収容する手段として利用可能である。
【符号の説明】
【００３３】
１…基板保護ケース、３…カシメ締結部、３ａ…カシメ部材、Ａ…封印シール接着部（突き合わせ部）１０…下ケース片、１１…フック部、１２…突出片、１５…切断部材支持部、１６…ガイドスリット、１７…係止片、２０…上ケース片、２２…突出片、２７…改変阻止部材（カシメ締結部）、２７ａ…環状部、２７ｂ…環状部、２７ｃ…リブ、２８…カシメピン（カシメ部材）、４０…キャップ、４１…キャップ本体、４５…切断部材、４６…刃部、４７…突片、４７ａ…穴部、５０…封印シール、５１…接着シート、５５…ＲＦＩＤ、５６…チップ部、５７…導体パターン、６０、６０ａ、６０ｂ…カシメ締結部、６１、６５…カシメ板装着部、８０…台座、８１…軸部
【図１】
2010178903.tif 000003
【図２】
2010178903.tif 000004
【図３】
2010178903.tif 000005
【図４】
2010178903.tif 000006
【図５】
2010178903.tif 000007
【図６】
2010178903.tif 000008
【図７】
2010178903.tif 000009
【図８】
2010178903.tif 000010
【図９】
2010178903.tif 000011
【図１０】
2010178903.tif 000012